(57)【要約】【課題】  防水性を高めることが可能な回動型スイッチ装置を提供する。【解決手段】  回動軸１１を有するとともに回動軸１１の回動位置に応じて所定機器の作動状態を制御する回動スイッチ１０と、回動軸１１に連結され、操作者によって回動操作される回動操作部２０と、回動軸１１が貫通する第１の貫通部３２を有する第１のケース体３０と、第１のケース体３０の背後側に配置され、回動スイッチ１０と電気接続される回路基板４０と、回動軸１１を包囲するように第１の貫通部３２に配設される基部６１を有する緩衝部材６０とを備え、第１のケース体３０と回路基板４０との間には、第１の貫通部３２に連通する第２の貫通部５２を有する第２のケース体５０が配置され、緩衝部材６０は、連結部６２を介して基部６１に一体形成される延長部６３を有し、延長部６３は、第１のケース体３０と第２のケース体５０との間に挟持される。【選択図】図１
2016058290.tif 000002
【特許請求の範囲】
【請求項１】
回動軸を有するとともに前記回動軸の回動位置に応じて所定機器の作動状態を制御する回動スイッチと、
前記回動軸に連結され、操作者によって回動操作される回動操作部と、
前記回動軸が貫通する第１の貫通部を有する第１のケース体と、
前記第１のケース体の背後側に配置され、前記回動スイッチと電気接続される回路基板と、
前記回動軸を包囲するように前記第１の貫通部に配設される基部を有する緩衝部材とを備え、
前記第１のケース体と前記回路基板との間には、前記第１の貫通部に連通する第２の貫通部を有する第２のケース体が配置され、
前記緩衝部材は、連結部を介して前記基部に一体形成される延長部を有し、
前記延長部は、前記第１のケース体と前記第２のケース体との間に挟持されることを特徴とする回動型スイッチ装置。
【請求項２】
前記第１のケース体は、前記第１の貫通部を包囲するように設けられる第１の突出壁部を有し、
前記第２のケース体は、前記第２の貫通部を包囲するように設けられる第２の突出壁部を有し、
前記延長部は、前記第１の突出壁部と前記第２の突出壁部との間に挟持されることを特徴とする請求項１記載の回動型スイッチ装置。
【請求項３】
前記第２のケース体は、前記延長部が前記第１の突出壁部と前記第２の突出壁部との間で圧縮保持されるように、所定の固定手段を用いて前記第１のケース体に固定されていることを特徴とする請求項２記載の回動型スイッチ装置。
【発明の詳細な説明】
【技術分野】
【０００１】
本発明は、例えば所定機器の作動状態を制御する回動スイッチと、この回動スイッチの回動軸に連結され、操作者によって回動操作される回動操作部とを備えた回動型スイッチ装置に関するものである。
【背景技術】
【０００２】
従来より、この種の回動型スイッチ装置にあっては、例えば下記特許文献１に記載されているものが知られている。この特許文献１に記載の回動型スイッチ装置は、回動軸を有するとともに当該回動軸の回動位置に応じて所定機器の作動状態を制御する回動スイッチと、この回動スイッチの回動軸に連結され、操作者によって回動操作される回動操作部と、回動軸が貫通する円形貫通孔からなる貫通部を有するケース体と、回動軸を包囲するようにケース体の貫通部に装着（嵌着）される弾性を有する略環状の緩衝部材（弾性部材）とを備えているものである。
【先行技術文献】
【特許文献】
【０００３】
【特許文献１】特開２００７−１７９９０８号公報
【発明の概要】
【発明が解決しようとする課題】
【０００４】
ところで、特許文献１に記載の回動型スイッチ装置の場合、ケース体の円形貫通孔（貫通部）に略環状の緩衝部材を装着した後、緩衝部材の中央部に設けられた回動軸装着孔に回動スイッチの回動軸を挿通させ、その後、ケース体から突出する回動軸の先端部分を回動操作部に連結させることで、回動操作部が回動スイッチに組み付けられるものであるが、回動スイッチの回動軸を前記回動軸装着孔に挿通させた際に、前もってケース体の円形貫通孔に装着されていた緩衝部材が変形してしまうことがあった。
【０００５】
そして、この緩衝部材の変形に起因して、緩衝部材とケース体の円形貫通孔との間に微少な間隙部が生じてしまうと、当該微少な間隙部から水などの異物が装置内部に侵入し、防水性が低下してしまうという問題点があり、この点で更なる改良の余地が残されていた。
そこで本発明は、前述の課題に対して対処するため、防水性を高めることが可能な回動型スイッチ装置の提供を目的とするものである。
【課題を解決するための手段】
【０００６】
本発明は、回動軸を有するとともに前記回動軸の回動位置に応じて所定機器の作動状態を制御する回動スイッチと、前記回動軸に連結され、操作者によって回動操作される回動操作部と、前記回動軸が貫通する第１の貫通部を有する第１のケース体と、前記第１のケース体の背後側に配置され、前記回動スイッチと電気接続される回路基板と、前記回動軸を包囲するように前記第１の貫通部に配設される基部を有する緩衝部材とを備え、前記第１のケース体と前記回路基板との間には、前記第１の貫通部に連通する第２の貫通部を有する第２のケース体が配置され、前記緩衝部材は、連結部を介して前記基部に一体形成される延長部を有し、前記延長部は、前記第１のケース体と前記第２のケース体との間に挟持されることを特徴とする。
【０００７】
また本発明は、前記第１のケース体は、前記第１の貫通部を包囲するように設けられる第１の突出壁部を有し、前記第２のケース体は、前記第２の貫通部を包囲するように設けられる第２の突出壁部を有し、前記延長部は、前記第１の突出壁部と前記第２の突出壁部との間に挟持されることを特徴とする。
【０００８】
また本発明は、前記第２のケース体は、前記延長部が前記第１の突出壁部と前記第２の突出壁部との間で圧縮保持されるように、所定の固定手段を用いて前記第１のケース体に固定されていることを特徴とする。
【発明の効果】
【０００９】
本発明によれば、初期の目的を達成でき、防水性を高めることが可能な回動型スイッチ装置を提供できる。
【図面の簡単な説明】
【００１０】
【図１】本発明の第１実施形態による回動型スイッチ装置の要部断面図（ハッチングは省略）。
【図２】同実施形態による緩衝部材の基部が変形したときの回動型スイッチ装置の要部断面図（ハッチングは省略）。
【図３】本発明の第２実施形態による回動型スイッチ装置の要部断面図（ハッチングは省略）。
【発明を実施するための形態】
【００１１】
（第１実施形態）以下、図１、図２に基づいて、本発明の第１実施形態を説明する。
【００１２】
図１において、本実施形態による回動型スイッチ装置は、回動スイッチ１０と、回動操作部２０と、第１のケース体３０と、回路基板４０と、第２のケース体５０と、防水パッキンとしての緩衝部材６０と、カバー部材７０とを備えている。
【００１３】
回動スイッチ１０は、例えばロータリーエンコーダやロータリースイッチを適用することができ、回動軸１１を有するとともに回動軸１１の回動位置に応じて、所定機器（オーディオ機器や空調機器等）の作動状態（運転状態）を制御するものである。
【００１４】
例えば所定機器がオーディオ機器の場合、前記作動状態の一例としては音量を上下させる状態を挙げることができ、また所定機器が空調機器の場合、前記作動状態の一例としては温度を上下させる状態を挙げることができる。
【００１５】
回動操作部２０は、例えば不透過性の合成樹脂材料によって形成され、操作者によって回動操作される略円形の操作ツマミからなり、回動操作部２０における背面側中央部には、窪み形状からなる凹部２１が設けられている。
【００１６】
また、回動操作部２０に備えられる凹部２１が回動スイッチ１０の回動軸１１に圧入状態で連結されていることで、操作者が回動操作部２０を回動操作すると、この回動操作部２０の回動操作に同期して回動軸１１が回動し、この回動軸１１の回動位置に応じて前記所定機器の作動状態を制御することが可能となる。
【００１７】
第１のケース体３０は、例えば不透過性の合成樹脂材料によって形成され、板面部３１と、第１の貫通部３２を有する第１の突出壁部３３とを有し、回動スイッチ１０の回動軸１１が第１の貫通部３２を貫通するようになっている。
【００１８】
板面部３１は、略円形の貫通孔からなる第１の貫通部３２を取り囲むように回動操作部２０の周囲に延在している。なお、３４は、第１のケース体３０と第２のケース体５０とを固定するためのインサートナットであり、このインサートナット３４は、図１中、第１の貫通部３２の左方に隣接する板面部３１の背面箇所から垂下形成されたボス部３５の内部に埋設されている。
【００１９】
第１の突出壁部３３は、第１の貫通部３２を包囲するように設けられ、板面部３１と第１の貫通部３２との境界部分となる板面部３１箇所から第２のケース体５０の後述する第２の突出壁部側に向けて垂下形成された略環状の立壁部からなる。
【００２０】
回路基板４０は、所定の配線パターンが施された硬質の配線基板からなり、ボス部３５を避けるように第１のケース体３０の背後側に配置され、前記配線パターン上に回動スイッチ１０が導通接続されている。つまり、回動操作部２０の真下（直下）に位置する回動スイッチ１０は、回路基板４０の前記配線パターン上に実装（搭載）されることで、回路基板４０と電気接続される構成となる。
【００２１】
第２のケース体５０は、例えば強度のあるアロイ材によって形成され、第１のケース体３０と回路基板４０との間に配置されている。また、第２のケース体５０は、回路基板４０をはじめとする各種内機部品を保持する保持体としての機能を有し、平板部５１と、第２の貫通部５２を有する第２の突出壁部５３とを有している。
【００２２】
平板部５１は、略円形の貫通孔からなる第２の貫通部５２を取り囲むように板面部３１と回路基板４０との間に位置している。なお、５４は、インサートナット３４に対応する平板部５１箇所に開口形成された孔部である。
【００２３】
なお、この場合、固定手段としてのネジＳを用いて第１のケース体２０が第２のケース体５０に固定されるものであったが、例えばフック等の固定手段を用いて、第１のケース体２０と第２のケース体５０とを固定してもよい。
【００２４】
また、第２の貫通部５２は第１の貫通部３２に連通しており、これに伴い回動スイッチ１０の回動軸１１は、第１の貫通部３２と第２の貫通部５２との双方を貫通する構成となる。
【００２５】
第２の突出壁部５３は、第２の貫通部５２を包囲するように設けられ、平板部５１と第２の貫通部５２との境界部分となる平板部５１箇所から第１の突出壁部３３側に向けて突出形成された略環状の立壁部からなる。なお、この場合、第２のケース体５０は、ネジ等の固定手段を用いて回路基板４０と固定される。
【００２６】
緩衝部材６０は、例えば黒色の合成ゴムによって形成された略円環状の弾性体（弾性部材）からなり、回動軸１１を包囲するように第１の貫通部３２に配設される略円環状の基部６１と、第１の突出壁部３３の内周面と当接するように設けられる筒状連結部（連結部）６２と、この筒状連結部６２の下端側から外側に向けて延長形成（突出形成）された略円環状の延長部６３とを有している。
【００２７】
基部６１は、回動軸１１と第１の突出壁部３３と間に形成される隙間を閉塞するように第１の貫通部３２に配設される。また、６１ａは回動軸１１を挿通（装着）するための略円形の貫通孔からなる回動軸装着孔であり、この回動軸装着孔６１ａは、基部６１の中央部に開口形成されている。
【００２８】
筒状連結部６２は、基部６１と延長部６３とを連結する連結部からなり、基部６１の周縁部分から垂下形成され、その外周面が第１の突出壁部３３の内周面と面接触した状態で第１の貫通部３２に配設される。
【００２９】
延長部６３は、筒状連結部６２を介して基部６１と一体形成されており、第１の突出壁部３３と第２の突出壁部５３との間（第１のケース体３０と第２のケース体５０との間）に挟持される構成となっている。
【００３０】
また、この場合、延長部６３の厚さ（板厚）は、第１の突出壁部３３と第２の突出壁部５３との間に形成されるクリアランスよりも若干、厚くなっている。ここで、第１のケース体３０と第２のケース体５０との固定は、孔部５４にネジＳのネジ部を貫通させて、当該ネジ部をインサートナット３４に螺合させることで完了するが、このとき、第１のケース体３０に備えられる第１の突出壁部３３と第２のケース体５０に備えられる第２の突出壁部５３との間に位置する緩衝部材６０の延長部６３は、その厚さが前記クリアランスよりも若干、厚くなっていることに起因して、圧縮された状態で第１の突出壁部３３と第２の突出壁部５３との間に保持（挟持）されることになる。
【００３１】
つまり、本例の場合、第２のケース体５０は、緩衝部材６０の延長部６３が第１の突出壁部３３と第２の突出壁部５３との間で圧縮保持されるように、ネジＳ（所定の固定手段）を用いて第１のケース体３０にネジ固定されることになる。
【００３２】
カバー部材７０は、例えば不透過性の合成樹脂材料によって形成され、回路基板４０や第２のケース体５０等の内機部品を収容するものであり、ネジ等の固定手段を用いて第１のケース体３０と固定される。なお、７１は、回動スイッチ１０が実装された回路基板４０箇所を背後から支持するための凸形状からなる支持部である。
【００３３】
以上の各部により、回動型スイッチ装置が構成されている。ところで、回動操作部２０を回動スイッチ１０に組み付けるにあたっては、例えば第１の突出壁部３３と第２の突出壁部５３との間で延長部６３が圧縮保持された状態の各ケース３０、５０体と弾性を有する緩衝部材６０とを用意し、その後、基部６１（緩衝部材６０）の中央部に設けられた回動軸装着孔６１ａに回動スイッチ１０の回動軸１１を挿通させて、第１のケース体３０から突出する回動軸１１の先端部分を回動操作部２０（凹部２１）に連結させることで、回動操作部２０が回動スイッチ１０に組み付けられる。
【００３４】
ここで、回動軸１１を基部６１の回動軸装着孔６１ａに挿通させた際に、前もって第１のケース体３０の第１の貫通部３２に装着されていた基部６１が変形し、基部６１と第１のケース体３０の第１の貫通部３２との間に例えば図２に示すような微少な間隙部８０が生じた場合であっても、この微少な間隙部８０に侵入する水などの異物は、緩衝部材６０の延長部６３が第１の突出壁部３３と第２の突出壁部５３との間で挟持（圧縮保持）されていることで、延長部６３と第１の突出壁部３３との間への通過が確実に阻止され、装置内部に侵入する虞がなくなるため、防水性を高めることが可能な回動型スイッチ装置を提供することができる。
【００３５】
以上のように本実施形態では、回動軸１１を有するとともに回動軸１１の回動位置に応じて所定機器の作動状態を制御する回動スイッチ１０と、回動軸１１に連結され、操作者によって回動操作される回動操作部２０と、回動軸１１が貫通する第１の貫通部３２を有する第１のケース体３０と、第１のケース体３０の背後側に配置され、回動スイッチ１０と電気接続される回路基板４０と、回動軸１１を包囲するように第１の貫通部３２に配設される基部６１を有する緩衝部材６０とを備え、第１のケース体３０と回路基板４０との間には、第１の貫通部３２に連通する第２の貫通部５２を有する第２のケース体５０が配置され、緩衝部材６０は、筒状連結部６２を介して基部６１に一体形成される延長部６３を有し、延長部６３は、第１のケース体３０と第２のケース体５０との間に挟持されるものである。また、第１のケース体３０は、第１の貫通部３２を包囲するように設けられる第１の突出壁部３３を有し、第２のケース体５０は、第２の貫通部５２を包囲するように設けられる第２の突出壁部５３を有し、延長部６３は、第１の突出壁部３３と第２の突出壁部５３との間に挟持されるものである。
【００３６】
従って、回動軸１１を回動軸装着孔６１ａに挿通させた際に、前もって第１の第１の貫通部３２に装着されていた基部６１が変形し、基部６１と第１の貫通部３２との間に微少な間隙部８０が生じた場合であっても、この微少な間隙部８０に侵入する水などの異物は、延長部６３が第１の突出壁部３３と第２の突出壁部５３との間で挟持（圧縮保持）されていることで、延長部６３と第１の突出壁部３３との間への通過が確実に阻止され、防水性を高めることが可能な回動型スイッチ装置を提供することができる。
【００３７】
また本実施形態では、第２のケース体５０は、延長部６３が第１の突出壁部３３と第２の突出壁部５３との間で圧縮保持されるように、ネジＳ（所定の固定手段）を用いて第１のケース体３０に固定されていることにより、装置内部に（例えば延長部６３と第１の突出壁部３３との間から）水などの異物が侵入する虞がなくなり、経時変化に伴う防水性の低下を確実に抑制することができるという利点がある。
【００３８】
（第２実施形態）次に、本発明の第２実施形態を図３に基づいて説明するが、前述の第１実施形態と同一もしくは相当個所には同一の符号を用いてその詳細な説明は省略する。この第２実施形態が前記第１実施形態と異なる点は、第１のケース体３０の第１の突出壁部３３と緩衝部材６０の筒状連結部（連結部）６２とが凹凸嵌合されている点にある。
【００３９】
すなわち、本第２実施形態における第１の突出壁部３３は、板面部３１と第１の貫通部３２との境界部分となる板面部３１箇所から第２の突出壁部５３側に向けて垂下形成された略円環状の突出壁３３ａと、この突出壁３３ａの下端側から内方（回動軸１１側）に向けて突出形成された略円環状の鍔部３３ｂとを有している。
【００４０】
また、本第２実施形態における筒状連結部６２は、突出壁３３ａの内周面と当接するように設けられる筒状部６２ａと、鍔部３３ｂが嵌合する環状溝からなる窪み部６２ｂとを有している。従って、この場合、延長部６３は、筒状部６２ａ及び窪み部６２ｂを介して基部６１と一体形成され、且つ、突出壁３３ａ（第１の突出壁部３３）と第２の突出壁部５３との間で挟持（圧縮保持）される構成となる。
【００４１】
この第２実施形態においても、延長部６３がと第２の突出壁部５３との間で挟持（圧縮保持）されていることで、前記第１実施形態と同様に水などの異物が延長部６３と突出壁３３ａ（第１の突出壁部３３）との間を通過する虞がなくなり、防水性を高めることが可能な回動型スイッチ装置を提供することができる。
【符号の説明】
【００４２】
１０    回動スイッチ
１１    回動軸
２０    回動操作部
３０    第１のケース体
３２    第１の貫通部
３３    第１の突出壁部
３３ａ  突出壁
３３ｂ  鍔部
４０    回路基板
５０    第２のケース体
５２    第２の貫通部
５３    第２の突出壁部
６０    緩衝部材
６１    基部
６２    筒状連結部（連結部）
６２ａ  筒状部
６２ｂ  窪み部
６３    延長部
７０    カバー部材
Ｓ    ネジ（固定手段）
【図１】
2016058290.tif 000003
【図２】
2016058290.tif 000004
【図３】
2016058290.tif 000005